(57)【要約】【課題】従来品よりも簡単に組み立てることが可能な遊技機の基板ケースの提供。【解決手段】基板ケース１は、ベース部材３と、カバー部材５と、カシメ部材７とを備える。ベース部材３及びカバー部材５は、カバー部材５をベース部材３に対して相対的に所定方向へスライドさせるとベース部材３に対するカバー部材５の取り付けが完了する構造とされている。カシメ部材７は、カバー部材５に嵌め込まれてカバー部材５とともに変位する部材で、カバー部材５を所定方向へスライドさせるのに伴って、ベース部材３側に設けられた被係合部と係合することにより、カバー部材５とベース部材３とを固定する。カシメ部材７は、外部から係合解除操作ができない領域に封入されるため、その封入部分を不可逆的に破断しない限り、カバー部材５をベース部材３から取り外しことはできなくなる。【選択図】図１
0003187186.tif 000002
【実用新案登録請求の範囲】
【請求項１】
遊技機に取り付けられるベース部材と、前記ベース部材に取り付けられるカバー部材と、前記カバー部材と前記ベース部材とを固定する固定手段とを備え、前記ベース部材と前記カバー部材によって遊技機の制御基板を格納するための格納空間が形成されるとともに、当該格納空間に格納された前記制御基板に対する操作が必要となった場合には、前記固定手段によって固定された箇所を不可逆的に破断すると、前記カバー部材が前記ベース部材から取り外し可能となる構造とされた遊技機の基板ケースであって、
前記固定手段は、前記ベース部材及び前記カバー部材のうち、いずれか一方の部材に設けられた係合部と、他方の部材に設けられた被係合部と、前記係合部と前記被係合部とを係合させた際に前記係合部及び前記被係合部の周囲を取り囲む位置に配置されることにより、前記係合部又は前記被係合部に対する係合解除操作を阻止する状態となる操作阻止部とを有し、
前記ベース部材及び前記カバー部材は、前記カバー部材を前記ベース部材に対して相対的に所定方向へ変位させると前記ベース部材に対する前記カバー部材の取り付けが完了する構造とされ、
前記固定手段は、前記カバー部材を前記所定方向へ変位させるのに伴って、前記係合部と前記被係合部が互いに係合することで、前記カバー部材と前記ベース部材とを固定する構造とされており、前記操作阻止部を不可逆的に破断すると、前記係合部及び前記被係合部に対する係合解除操作が可能となって、前記カバー部材が前記ベース部材から取り外し可能となる
ことを特徴とする遊技機の基板ケース。
【請求項２】
前記ベース部材及び前記カバー部材は、前記カバー部材を前記ベース部材に対して相対的に所定方向へスライドさせると前記ベース部材に対する前記カバー部材の取り付けが完了する構造とされ、
前記固定手段において、前記係合部及び前記被係合部は、前記カバー部材を前記所定方向へスライドさせるのに伴って当接し、更に前記カバー部材を前記所定方向へスライドさせると前記係合部が弾性変形しつつ前記被係合部との係合位置へと接近し、更に前記カバー部材を前記所定方向へスライドさせて前記係合部が前記係合位置へ到達すると、弾性変形していた前記係合部の形状が復元する側へと変化して、前記係合部と前記被係合部が互いに係合する
ことを特徴とする請求項１に記載の遊技機の基板ケース。
【請求項３】
前記係合部は、前記一方の部材とは別体の部品として形成されて、前記一方の部材に対して着脱可能な状態で取り付けられており、
前記係合部と前記被係合部とを係合させた際には、前記操作阻止部が前記係合部及び前記被係合部の周囲を取り囲む位置に配置されるのに伴い、前記係合部が前記一方の部材から取り外し不能な状態になる
ことを特徴とする請求項１又は請求項２に記載の遊技機の基板ケース。
【請求項４】
前記一方の部材は、第一の樹脂材料によって形成され、
前記係合部は、前記第一の樹脂材料よりも弾性変形させやすい第二の樹脂材料で形成されている
ことを特徴とする請求項３に記載の遊技機の基板ケース。
【請求項５】
前記被係合部及び前記操作阻止部は、複数組設けられていて、
前記複数組のうち、いずれか一組の前記被係合部及び前記操作阻止部と、前記係合部とを組み合わせることによって前記固定手段が構成されており、
前記いずれか一組の前記操作阻止部を不可逆的に破断することにより、前記係合部及び前記被係合部に対する係合解除操作が可能とされた場合には、前記いずれか一組とは別の一組となる前記被係合部及び前記操作阻止部と、前記係合部とを組み合わせることによって、新たに前記固定手段を構成可能な構造とされている
ことを特徴とする請求項３又は請求項４に記載の遊技機の基板ケース。
【考案の詳細な説明】
【技術分野】
【０００１】
本考案は、遊技機の制御基板を格納するために利用される基板ケースに関する。
【背景技術】
【０００２】
ぱちんこ遊技機等の遊技機が備える制御基板は、不正改造等を防止するため、可逆的に開封することができない構造とされた基板ケースに封入されている（例えば、特許文献１参照。）。
【０００３】
下記特許文献１に記載された基板ケースの場合、ベース部材と、ベース部材に対して相対的にスライドさせて装着される蓋部材と、蓋部材のスライド方向とは直交する方向に挿し込まれるカシメピンなどを備えている。
【先行技術文献】
【特許文献】
【０００４】
【特許文献１】特開２０１０−２４６７３２号公報
【考案の概要】
【考案が解決しようとする課題】
【０００５】
しかしながら、上記特許文献１に記載された基板ケースの場合、遊技機の組み立てを行う際には、第一の作業として、ベース部材に対して蓋部材を装着する作業を行ってから、第二の作業として、カシメピンを挿し込む作業を行わざるを得ない。
【０００６】
そのため、これら一連の作業に相応の時間を要するので、遊技機の組み立て作業に要する時間が増大する一因になっており、より簡便に組み立て作業を完了させることができる基板ケースが望まれていた。
【０００７】
本考案は、上記問題を解決するためになされたものであり、その目的は、従来品よりも簡単に組み立てることが可能な遊技機の基板ケースを提供することにある。
【課題を解決するための手段】
【０００８】
以下、本考案において採用した構成について説明する。
本考案の遊技機の基板ケースは、遊技機に取り付けられるベース部材と、前記ベース部材に取り付けられるカバー部材と、前記カバー部材と前記ベース部材とを固定する固定手段とを備え、前記ベース部材と前記カバー部材によって遊技機の制御基板を格納するための格納空間が形成されるとともに、当該格納空間に格納された前記制御基板に対する操作が必要となった場合には、前記固定手段によって固定された箇所を不可逆的に破断すると、前記カバー部材が前記ベース部材から取り外し可能となる構造とされた遊技機の基板ケースであって、前記固定手段は、前記ベース部材及び前記カバー部材のうち、いずれか一方の部材に設けられた係合部と、他方の部材に設けられた被係合部と、前記係合部と前記被係合部とを係合させた際に前記係合部及び前記被係合部の周囲を取り囲む位置に配置されることにより、前記係合部又は前記被係合部に対する係合解除操作を阻止する状態となる操作阻止部とを有し、前記ベース部材及び前記カバー部材は、前記カバー部材を前記ベース部材に対して相対的に所定方向へ変位させると前記ベース部材に対する前記カバー部材の取り付けが完了する構造とされ、前記固定手段は、前記カバー部材を前記所定方向へ変位させるのに伴って、前記係合部と前記被係合部が互いに係合することで、前記カバー部材と前記ベース部材とを固定する構造とされており、前記操作阻止部を不可逆的に破断すると、前記係合部及び前記被係合部に対する係合解除操作が可能となって、前記カバー部材が前記ベース部材から取り外し可能となることを特徴とする。
【０００９】
このように構成された遊技機の基板ケースによれば、カバー部材をベース部材に対して相対的に所定方向へ変位させるとベース部材に対するカバー部材の取り付けが完了する。その際、固定手段は、カバー部材を所定方向へ変位させるのに伴って、係合部と被係合部が互いに係合し、これにより、カバー部材とベース部材が固定される。
【００１０】
このようにしてカバー部材とベース部材が固定されると、以降は、操作阻止部を不可逆的に破断しない限り、係合部及び被係合部に対する係合解除操作ができず、カバー部材をベース部材から取り外することはできなくなる。
【００１１】
したがって、このような基板ケースであれば、カバー部材をベース部材に対して相対的に所定方向へ変位させる作業を行えば、同時進行で係合部と被係合部を係合させる作業も完了させることができ、遊技機の制御基板を基板ケース内に封止することができる。よって、カバー部材をベース部材に対して取り付ける作業を行った後に、その作業とは別作業でカシメピン等の固定具を押し込む作業が必要であった従来技術に比べ、基板ケースの組み立て（制御基板の封入）に要する時間を短縮し、組み立て作業の効率化を図ることができる。
【００１２】
ところで、本考案の遊技機の基板ケースにおいて、前記ベース部材及び前記カバー部材は、前記カバー部材を前記ベース部材に対して相対的に所定方向へスライドさせると前記ベース部材に対する前記カバー部材の取り付けが完了する構造とされ、前記固定手段において、前記係合部及び前記被係合部は、前記カバー部材を前記所定方向へスライドさせるのに伴って当接し、更に前記カバー部材を前記所定方向へスライドさせると前記係合部が弾性変形しつつ前記被係合部との係合位置へと接近し、更に前記カバー部材を前記所定方向へスライドさせて前記係合部が前記係合位置へ到達すると、弾性変形していた前記係合部の形状が復元する側へと変化して、前記係合部と前記被係合部が互いに係合するものであると好ましい。
【００１３】
このように構成された遊技機の基板ケースによれば、カバー部材をベース部材に対して相対的に所定方向へスライドさせる作業を行えば、係合部及び被係合部が弾性変形しつつ係合する。したがって、カバー部材をスライドさせる作業と同時進行で係合部と被係合部を係合させる作業も完了させることができ、これにより、遊技機の制御基板を基板ケース内に封止することができる。
【００１４】
また、本考案の遊技機の基板ケースにおいて、前記係合部は、前記一方の部材とは別体の部品として形成されて、前記一方の部材に対して着脱可能な状態で取り付けられており、前記係合部と前記被係合部とを係合させた際には、前記操作阻止部が前記係合部及び前記被係合部の周囲を取り囲む位置に配置されるのに伴い、前記係合部が前記一方の部材から取り外し不能な状態になるものであると好ましい。
【００１５】
このように構成された遊技機の基板ケースによれば、係合部は、ベース部材及びカバー部材のうち、いずれか一方の部材に設けられるものの、当該一方の部材とは別体の部品として形成されて、一方の部材に対して着脱可能な状態で取り付けられる。したがって、一方の部材に一体成形で係合部が設けられる場合に比べ、係合部を容易に成形することができ、例えば、一方の部材を所定の形状に成形する都合上、型抜きの関係で係合部の形状が制約を受ける、といった問題を招きにくくすることができる。
【００１６】
また、本考案の遊技機の基板ケースにおいて、前記一方の部材は、第一の樹脂材料によって形成され、前記係合部は、前記第一の樹脂材料よりも弾性変形させやすい第二の樹脂材料で形成されていると好ましい。
【００１７】
このように構成された遊技機の基板ケースによれば、一方の部材と係合部が単に別体の部品とされるだけではなく、それぞれの役割に応じた樹脂材料で形成される。したがって、ベース部材及びカバー部材はより変形しにくい剛性の高いものとすることができる一方、係合部は弾性変形しやすいものとすることができる。
【００１８】
また、本考案の遊技機の基板ケースにおいて、前記被係合部及び前記操作阻止部は、複数組設けられていて、前記複数組のうち、いずれか一組の前記被係合部及び前記操作阻止部と、前記係合部とを組み合わせることによって前記固定手段が構成されており、前記いずれか一組の前記操作阻止部を不可逆的に破断することにより、前記係合部及び前記被係合部に対する係合解除操作が可能とされた場合には、前記いずれか一組とは別の一組となる前記被係合部及び前記操作阻止部と、前記係合部とを組み合わせることによって、新たに前記固定手段を構成可能な構造とされていると好ましい。
【００１９】
このように構成された遊技機の基板ケースによれば、制御基板を基板ケース内に封止した後に、例えば制御基板の検査を行う等の事情で基板ケースの開封が行われることになったとしても、単一の係合部を再利用して再び固定手段を構成することができる。したがって、複数組の固定手段に対応する複数組の係合部を用意する必要がなく、その分だけ部品点数の削減を図ることができ、ひいては製造コストの削減を図ることができる。
【図面の簡単な説明】
【００２０】
【図１】（ａ）は基板ケースの斜視図、（ｂ）は基板ケースを分解した状態を示す斜視図。
【図２】（ａ）は基板ケースの平面図、（ｂ）は基板ケースの正面図、（ｃ）は基板ケースの右側面図。
【図３】（ａ）はベース部材の平面図、（ｂ）はベース部材の正面図、（ｃ）はベース部材の右側面図。
【図４】（ａ）はカバー部材の平面図、（ｂ）はカバー部材の正面図、（ｃ）はカバー部材の右側面図。
【図５】（ａ）はカシメ部材の平面図、（ｂ）はカシメ部材の正面図、（ｃ）はカシメ部材の右側面図、（ｄ）はカシメ部材がカバー部材に嵌め込まれた状態を示す平面図、（ｅ）はカシメ部材がカバー部材に嵌め込まれた状態を示す正面図。
【図６】ベース部材に対してカバー部材をスライドさせた際にカシメ部材がどのように変位及び変形するのかを説明するための説明図。
【考案を実施するための形態】
【００２１】
次に、本考案の実施形態について一例を挙げて説明する。
基板ケース１は、図１（ａ），図１（ｂ），図２（ａ），図２（ｂ），及び図２（ｃ）に示すように、ベース部材３と、カバー部材５と、カシメ部材７とを備えている。これらのうち、ベース部材３は、ポリカーボネート製の透明な部品であり、正面側（前側）が遊技機（図示せず）の背面側に対向する向きとされて遊技機の背面側にねじ止め等によって取り付けられる。カバー部材５も、ベース部材３同様、ポリカーボネート製の透明な部品で、このカバー部材５は、ベース部材３に対して取り付けられる。カシメ部材７は、ポリアミド樹脂製の部品であり、詳しくは後述するが、カバー部材５に嵌め込まれることにより、本考案でいう係合部として機能する部分となる。
【００２２】
ベース部材３は、図３（ａ）〜図３（ｃ）に示すように、基板ケース１の正面側（前側）の壁面をなす前側板状部１１と、前側板状部１１の上端から後方へ向かって延びる上側板状部１２と、前側板状部１１の下端から後方へ向かって延びる下側板状部１３と、前側板状部１１の左端から後方へ向かって延びる左側板状部１４とを有する。
【００２３】
また、ベース部材３において、前側板状部１１の背面側で上側板状部１２の近傍となる位置には、後方に向かって突出するガイド部１５Ａ，１５Ｂが設けられ、前側板状部１１の背面側で下側板状部１３の近傍となる位置にも、後方に向かって突出するガイド部１５Ｃ，１５Ｄが設けられている。また、上側板状部１２下面の後端には下方に向かって突出するガイド部１６Ａ，１６Ｂ，１６Ｃが設けられ、下側板状部１３上面の後端には上方に向かって突出するガイド部１６Ｄ，１６Ｅ，１６Ｆが設けられている。
【００２４】
また、ベース部材３において、前側板状部１１背面の右端付近には後方に向かって突出する突条１７が設けられている。また、前側板状部１１と左側板状部１４との境界部分には、左側板状部１４を左右方向に貫通する貫通孔１８Ａ，１８Ｂが形成されている。
【００２５】
また、ベース部材３において、左側板状部１４左側面の後端付近には、更に左方へ向かって突出する第一ベース側固定部２１と第二ベース側固定部２２が設けられている。これら第一ベース側固定部２１と第二ベース側固定部２２は、前側隔壁２１Ａ，２２Ａ、上側隔壁２１Ｂ，２２Ｂ、下側隔壁２１Ｃ，２２Ｃ、左側隔壁２１Ｄ，２２Ｄを有する。
【００２６】
前側隔壁２１Ａ、上側隔壁２１Ｂ、下側隔壁２１Ｃ、及び左側隔壁２１Ｄによって囲まれる空間の背面側及び右側面側は、隔壁のない開放された面となっている。また、前側隔壁２２Ａ、上側隔壁２２Ｂ、下側隔壁２２Ｃ、及び左側隔壁２２Ｄによって囲まれる空間の背面側及び右側面側も、隔壁のない開放された面となっている。ただし、左側隔壁２１Ｄ，２２Ｄの右側面側後端には、右方へ向かって突出する凸部２１Ｅ，２２Ｅが設けられている。
【００２７】
また、ベース部材３において、第一ベース側固定部２１には被係合部２３が設けられ、第二ベース側固定部２２には被係合部２４が設けられている。被係合部２３は、上側隔壁２１Ｂ及び下側隔壁２１Ｃそれぞれの右端付近から互いに対向する方向に向かって突出する突起によって構成される。被係合部２４は、上側隔壁２２Ｂ及び下側隔壁２２Ｃそれぞれの右端付近から互いに対向する方向に向かって突出する突起によって構成される。なお、第一ベース側固定部２１と第二ベース側固定部２２の間には、双方に連設された補強板２５が設けられている。
【００２８】
一方、カバー部材５は、図４（ａ）〜図４（ｃ）に示すように、中央部分が上下両端部分よりも後方へ凹んだ形状とされた段付背面部３１と、段付背面部３１の上端から前方へ向かって延びる上側板状部３２と、段付背面部３１の下端から前方へ向かって延びる下側板状部３３と、段付背面部３１の左端から前方へ向かって延びる左側板状部３４と、段付背面部３１の右端から前方へ向かって延びる右側板状部３５とを有する。
【００２９】
カバー部材５をベース部材３に取り付けた際、カバー部材５側にある上側板状部３２の後端は、ベース部材３側にあるガイド部１５Ａ，１５Ｂと上側板状部１２との間に遊嵌して上下方向への変位が規制される状態になる。カバー部材５側にある下側板状部３３の後端は、ベース部材３側にあるガイド部１５Ｃ，１５Ｄと下側板状部１３との間に遊嵌して上下方向への変位が規制される状態になる。また、カバー部材５側にある上側板状部３２及び下側板状部３３は、ベース部材３側にあるガイド部１６Ａ〜１６Ｆと前側板状部１１との間に遊嵌して前後方向への変位が規制される状態になる。
【００３０】
これらの構造により、カバー部材５は、ベース部材３の背面側において左右方向へスライド可能な状態で支持されることになる。なお、カバー部材５の右端側で、上側板状部３２の上方及び下側板状部３３の下方となる位置それぞれには、覆い部３６Ａ，３６Ｂが設けられている。カバー部材５をベース部材３に取り付けた際には、ベース部材３とカバー部材５との間に形成される隙間が覆い部３６Ａ，３６Ｂによって覆い隠される。
【００３１】
また、カバー部材５において、左側板状部３４左側面の前端付近には、更に左方へ向かって突出する突設片３７Ａ，３７Ｂが設けられている。カバー部材５をベース部材３に取り付けた際、これらの突設片３７Ａ，３７Ｂは、ベース部材３側にある貫通孔１８Ａ，１８Ｂに挿し込まれ、これにより、カバー部材５の左端は、上下方向及び前後方向への変位が規制される状態になる。
【００３２】
また、カバー部材５において、左側板状部３４左側面の後端付近には、更に左方へ向かって突出する第一カバー側固定部４１と第二カバー側固定部４２が設けられている。これら第一カバー側固定部４１と第二カバー側固定部４２は、後側隔壁４１Ａ，４２Ａ、上側隔壁４１Ｂ，４２Ｂ、下側隔壁４１Ｃ，４２Ｃ、左側隔壁４１Ｄ，４２Ｄ、右側隔壁４１Ｅ，４２Ｅを有する。また、右側隔壁４１Ｅ，４２Ｅそれぞれの右側には、上下一対の連結部４１Ｆ，４１Ｆ，４２Ｆ，４２Ｆが設けられ、これらの連結部４１Ｆ，４１Ｆ，４２Ｆ，４２Ｆを介して第一カバー側固定部４１及び第二カバー側固定部４２が左側板状部３４に連結されている。
【００３３】
第一カバー側固定部４１を正面側から見て、上側隔壁４１Ｂ、下側隔壁４１Ｃ、左側隔壁４１Ｄ、及び右側隔壁４１Ｅに囲まれる四角形の領域には、リブ４１Ｇ，４１Ｈ，４１Ｉが形成されている。同様に、第二カバー側固定部４２を正面側から見て、上側隔壁４２Ｂ、下側隔壁４２Ｃ、左側隔壁４２Ｄ、及び右側隔壁４２Ｅに囲まれる四角形の領域には、リブ４２Ｇ，４２Ｈ，４２Ｉが形成されている。また、左側隔壁４１Ｄ，４２Ｄの左側には、凸部４１Ｊ，４２Ｊが形成されている。なお、第一カバー側固定部４１の背面側には数字「１」が刻設され、第二カバー側固定部４２の背面側には数字「２」が刻設されている。
【００３４】
カシメ部材７は、図５（ａ）〜図５（ｅ）に示すように、右端側に設けられた連結部７Ａと、連結部７Ａを介して連結された一対の基部７Ｂ，７Ｂと、基部７Ｂ，７Ｂそれぞれの左端から斜め右上方又は斜め右下方へと折り返して形成された弾性逆止片７Ｃ，７Ｃとを備えている。
【００３５】
このような形状とされたカシメ部材７は、図５（ｄ）及び図５（ｅ）に示すように、初期状態では、カバー部材５側にある第一カバー側固定部４１に嵌め込まれる。なお、詳しくは後述するが、カシメ部材７が嵌め込まれる部分に関し、第一カバー側固定部４１と第二カバー側固定部４２はほぼ同形状とされており、カシメ部材７を第二カバー側固定部４２に嵌め込むこともできる。
【００３６】
カシメ部材７が第一カバー側固定部４１（又は第二カバー側固定部４２）に嵌め込まれると、連結部７Ａ及び基部７Ｂ，７Ｂは、リブ４１Ｇ，４１Ｈ，４１Ｉ（又はリブ４２Ｇ，４２Ｈ，４２Ｉ）によって上下方向及び左右方向への変位を規制される状態になる。ただし、この状態においても、弾性逆止片７Ｃ，７Ｃは、弾性変形を伴って右端側が基部７Ｂ，７Ｂに接近する方向へ変位可能な状態になっている。
【００３７】
以上のように構成された基板ケース１において、ベース部材３は、正面側が遊技機（図示せず）の背面に対向する向きにされた状態で、遊技機の背面側に取り付けられる。また、カバー部材５は、ベース部材３に対して取り付けられる。
【００３８】
カバー部材５をベース部材３に取り付ける際、遊技機の制御基板は予めカバー部材５側に取り付けられ、その後で、カバー部材５とともにベース部材３に対して取り付けられ、これにより、ベース部材３とカバー部材５とによって形成される格納空間内に制御基板が格納される。
【００３９】
また、カバー部材５をベース部材３に取り付ける際、カシメ部材７はカバー部材５側にある第一カバー側固定部４１に嵌め込まれる。そして、その状態でカバー部材５をベース部材３に対して相対的に左方へとスライドさせ、カシメ部材７が嵌め込まれた第一カバー側固定部４１を、図６（ａ）〜図６（ｊ）に示すように、第一ベース側固定部２１の右側から第一ベース側固定部２１の内部へと進入させる。
【００４０】
より詳しくは、カバー部材５がスライドするのに伴い、図６（ａ）及び図６（ｂ）に示す位置にあった第一カバー側固定部４１が、更に左方へと変位して第一ベース側固定部２１の内部へ進入すると、図６（ｃ）及び図６（ｄ）に示すように、カシメ部材７は被係合部２３の右側に当接する。このとき、図６（ａ）及び図６（ｃ）に表れるように、カシメ部材７は後側半分程度が第一カバー側固定部４１に嵌め込まれているが、カシメ部材７の前側半分程度は第一カバー側固定部４１よりも前方へ突出しており、その突出部分が被係合部２３に当接することになる。
【００４１】
そして、カバー部材５がスライドするのに伴い、第一カバー側固定部４１が更に左方へと変位すると、カシメ部材７は、図６（ｅ）及び図６（ｆ）に示すように、被係合部２３から受ける力で弾性変形を開始し、上下方向に圧縮された形状となる。カシメ部材７の変形量は、図６（ｇ）及び図６（ｈ）に示すように、第一カバー側固定部４１が左方へと変位するに従って増大する。
【００４２】
ただし、カバー部材５が更にスライドを続けて、第一カバー側固定部４１が最も左方へと変位して所定の位置に到達すると、カシメ部材７は、図６（ｉ）及び図６（ｊ）に示すように、被係合部２３のある箇所を通り抜けて、被係合部２３の左側へと変位する。このとき、カシメ部材７は、弾性変形して上下方向に圧縮されていた形状が元の形状に戻る。その結果、弾性逆止片７Ｃ，７Ｃの右端は、被係合部２３に引っかかって右方への変位が規制される状態になる。
【００４３】
すなわち、カシメ部材７は、第一カバー側固定部４１に対して上下方向及び左右方向へは変位できない状態に嵌め込まれており、かつ、第一カバー側固定部４１が最も左方へと変位して所定の位置に到達したときに被係合部２３に引っかかることにより、第一カバー側固定部４１がカシメ部材７とともに第一ベース側固定部２１に対して相対的に右方へと変位するのも規制する状態になる。
【００４４】
また、カシメ部材７は、第一ベース側固定部２１及び第一カバー側固定部４１のそれぞれが備える隔壁内に封入された状態になるため、第一ベース側固定部２１及び第一カバー側固定部４１の外部からカシメ部材７に対して外力を直接加えるような操作はできなくなる。すなわち、第一ベース側固定部２１及び第一カバー側固定部４１は、係合部であるカシメ部材７と被係合部２３とを係合させた際に、両者の周囲を取り囲む位置に配置されることにより、両者に対する係合解除操作を阻止する状態となる操作阻止部として機能する。
【００４５】
したがって、カシメ部材７、第一ベース側固定部２１、及び第一カバー側固定部４１によって構成される固定手段を破損させることなく、カバー部材５をベース部材３に対してスライドさせることはできなくなり、基板ケース１内に制御基板が封入されることになる。
【００４６】
ところで、基板ケース１は、例えば、制御基板の不正改造がなされていないかどうかを検査する際には、上記のような固定手段が不可逆的に破壊される。具体的には、第一カバー側固定部４１は、連結部４１Ｆ，４１Ｆを介して左側板状部３４に連結されているので、この連結部４１Ｆ，４１Ｆを破断すれば、第一カバー側固定部４１を取り外すことができ、これにより、カシメ部材７を取り外して、カシメ部材７による係合を解除することができる。
【００４７】
また、上記のような検査が終了したら、カシメ部材７を再利用して、新たな固定手段を構成することができる。具体的には、カシメ部材７、第二ベース側固定部２２、及び第二カバー側固定部４２を利用すれば、破壊した固定手段と同等な構造を新たに構成することができるので、その新たな固定手段を利用すれば再びカバー部材５をベース部材３に対してスライド不能とすることができ、基板ケース１内に制御基板を封入することができる。
【００４８】
以上の説明から明らかなように、上記のような構造の基板ケース１であれば、カバー部材５をベース部材３に対して相対的に所定方向へスライドさせる作業を行えば、同時進行でカシメ部材７と被係合部２３を係合させる作業も完了させることができ、遊技機の制御基板を基板ケース１内に封止することができる。よって、カバー部材をベース部材に対して取り付ける作業を行った後に、その作業とは別作業でカシメピン等の固定具を押し込む作業が必要であった従来技術に比べ、基板ケース１の組み立て（制御基板の封入）に要する時間を短縮し、遊技機の組み立て作業の効率化を図ることができる。
【００４９】
以上、本考案の実施形態について説明したが、本考案は上記の具体的な一実施形態に限定されず、この他にも種々の形態で実施することができる。
例えば、上記実施形態では、カシメ部材７、第一ベース側固定部２１、第二ベース側固定部２２、第一カバー側固定部４１、及び第二カバー側固定部４２を利用することで、２組の固定手段を構成できる例を示したが、２組とするか否かは任意である。例えば、同等な固定手段を１組だけ備えていてもよいし、３組以上備えていてもよい。
【００５０】
また、上記実施形態では、カシメ部材７をカバー部材５とは別体の部品としてあったが、カバー部材５に対してカシメ部材７が一体成形で設けられていてもよい。この場合、１組目の固定手段を破断した際には、カバー部材５に一体成形されたカシメ部材７もカバー部材５との連結部を切断することで、カバー部材５から取り外すことができるので、それを新たな２組目の固定手段を構成する部品として利用することができる。
【００５１】
また、上記実施形態では、カバー部材５をベース部材３に対してスライドさせる例を示したが、カバー部材５をベース部材３に対して相対的に変位させることができれば、その変位はスライド以外の変位であってもかまわない。例えば、カバー部材５をベース部材３に対して回動する構造になっていてもよく、その場合でも、その回動に伴って固定手段となる部分が係合する構造になっていればよい。
【００５２】
なお、上記実施形態では特に詳細には説明しなかったが、制御基板を備える遊技機であれば、本考案の基板ケースの装着対象とされる遊技機の種類はどのようなものでもよく、例えば、ぱちんこ遊技機、回胴式遊技機、アレンジボール遊技機、じやん球遊技機、あるいはその他の遊技機において、本考案の基板ケースを採用することができる。また、制御基板についても様々な制御基板を対象とすることができ、主制御基板を収容対象としてもよいし、主制御基板以外の各種制御基板を対象としてもよい。
【符号の説明】
【００５３】
１…基板ケース、３…ベース部材、５…カバー部材、７…カシメ部材、７Ａ…連結部、７Ｂ…基部、７Ｃ…弾性逆止片、１１…前側板状部、１２…上側板状部、１３…下側板状部、１４…左側板状部、１５Ａ〜１５Ｃ…ガイド部、１６Ａ〜１６Ｆ…ガイド部、１７…突条、１８Ａ，１８Ｂ…貫通孔、２１…第一ベース側固定部、２１Ａ…前側隔壁、２１Ｂ…上側隔壁、２１Ｃ…下側隔壁、２１Ｄ…左側隔壁、２１Ｅ…凸部、２２…第二ベース側固定部、２２Ａ…前側隔壁、２２Ｂ…上側隔壁、２２Ｃ…下側隔壁、２２Ｄ…左側隔壁、２３，２４…被係合部、２５…補強板、３１…段付背面部、３２…上側板状部、３３…下側板状部、３４…左側板状部、３５…右側板状部、３６Ａ，３６Ｂ…覆い部、３７Ａ，３７Ｂ…突設片、４１…第一カバー側固定部、４１Ａ…後側隔壁、４１Ｂ…上側隔壁、４１Ｃ…下側隔壁、４１Ｄ…左側隔壁、４１Ｅ…右側隔壁、４１Ｆ…連結部、４１Ｇ〜４１Ｉ…リブ、４１Ｊ…凸部、４２…第二カバー側固定部、４２Ｂ…上側隔壁、４２Ｃ…下側隔壁、４２Ｄ…左側隔壁、４２Ｅ…右側隔壁、４２Ｆ…連結部、４２Ｇ〜４２Ｉ…リブ。
【図１】
0003187186.tif 000003
【図２】
0003187186.tif 000004
【図３】
0003187186.tif 000005
【図４】
0003187186.tif 000006
【図５】
0003187186.tif 000007
【図６】
0003187186.tif 000008